(57)【要約】【課題】室外熱交換器に溜まった塵埃を自動的に除去することができ、初期の熱交換効率状態に戻すことが可能な空気調和機を提供すること。【解決手段】室外機に設けられた室外熱交換器１０と、送風ファンユニット１１とを備え、室外熱交換器１０を自動清掃する熱交換器清掃装置１を搭載した空気調和機において、室外熱交換器１０の上方に駆動ユニット３、下方にガイドユニット４を設け、駆動ユニット３とガイドユニット４の間に清掃ユニットを設けて、熱交換器清掃装置１が左右方向に移動するように構成したことにより、熱交換器清掃装置１の駆動の安定化が可能となり、室外熱交換器１０に付着した塵埃を効率的に除去することができ、初期の熱交換効率状態に戻すことが可能になる空気調和機を提供する。【選択図】図１
2012184872.tif 000002
【特許請求の範囲】
【請求項１】
室外機に設けられた室外熱交換器と、送風ファンと、前記室外熱交換器を自動清掃する熱交換器清掃装置とを備えた空気調和機であって、
前記熱交換器清掃装置は、前記室外熱交換器の上方に駆動ユニット、下方にガイドユニットを設け、前記駆動ユニットと前記ガイドユニットの間に清掃ユニットを設けて、前記清掃ユニットが左右方向に移動するように構成したことを特徴とする空気調和機の室外機。
【請求項２】
前記熱交換器清掃装置を前記室外熱交換器の風上側に具備したことを特徴とする請求項１に記載の空気調和機の室外機。
【請求項３】
前記熱交換器清掃装置を前記室外熱交換器の風下側に具備したことを特徴とする請求項１に記載の空気調和機の室外機。
【請求項４】
前記清掃ユニット内に移動可能なブラシ等の清掃具を設け、前記清掃具を上下方向に移動させる移動ベルトを備えたことを特徴とする請求項１に記載の空気調和機の室外機。
【請求項５】
前記清掃ユニット内のブラシに付着した塵埃を除去する櫛状突起部を備えたことを特徴とする請求項４に記載の空気調和機の室外機。
【請求項６】
前記櫛状突起部の下方に穴部を備えたことを特徴とする請求項５に記載の空気調和機の室外機。
【請求項７】
前記駆動ユニットとガイドユニットを支持する複数の支持部材を備えたことを特徴とする請求項１に記載の空気調和機の室外機。
【発明の詳細な説明】
【技術分野】
【０００１】
本発明は、室外機の熱交換器の自動清掃装置を備えた空気調和機に関するものである。
【背景技術】
【０００２】
従来のこの種の空気調和機の構成として、図６に示すような底板上に熱交換器および送風ファンが配置され、前記熱交換器に対向して同熱交換器を清掃する清掃ユニット１０６が設けられ、前記底板に被着された外胴の上面部にフランジを備えた天板が被着されてなる空気調和機の室外機で、前記清掃ユニット１０６が、前記熱交換器に当接するブラシ１０７を備えた清掃部１０８と、同清掃部１０８を上下に移動させる駆動部１０９および移動可能に支持する支持部１１０とを備えたものが知られている（例えば、特許文献１参照）。また、特許文献１は、前記清掃ユニット１０６の清掃動作を停止した際、前記清掃部１０６を前記フランジに対向するように位置させるようにしたもので、前記清掃ユニット１０６が、前記熱交換器の風下側に対向配置されてなることを特徴としている。
【先行技術文献】
【特許文献】
【０００３】
【特許文献１】特開２００９−８３６６号公報
【発明の概要】
【発明が解決しようとする課題】
【０００４】
しかしながら、前記従来の構成では、室外熱交換器の巾全長に渡ってブラシが当接している状態で清掃ユニットが移動するため動作時の接触抵抗大きくなり、大きな駆動トルクを必要としていた。また、Ｌ形熱交換器の清掃時に於いて、前記清掃ユニットの両端支持から離れたＬ形のコーナ付近ではブレ易く不安定になり、確実な清掃が期待できないという課題を有していた。
【０００５】
本発明は、前記従来の課題を解決するもので、清掃ユニットの駆動の安定化が可能となり、室外熱交換器に付着した塵埃を効率的に除去することができ、初期の熱交換効率状態に戻すことが可能となる空気調和機を提供することを目的とする。
【課題を解決するための手段】
【０００６】
前記従来の課題を解決するために本発明の空気調和機は、室外機に設けられた室外熱交換器と、送風ファンと、前記室外熱交換器を自動清掃する熱交換器清掃装置とを備えた空気調和機であって、
前記熱交換器清掃装置は、前記室外熱交換器の上方に駆動ユニット、下方にガイドユニットを設け、前記駆動ユニットと前記ガイドユニットの間に清掃ユニットを設けて、前記清掃ユニットが左右方向に移動するように構成したものである。
【０００７】
これによって、前記清掃ユニットの駆動の安定化を図ることができ、室外熱交換器に付着した塵埃を効率的に除去することが可能となる。
【０００８】
また、本発明の空気調和機は、前記熱交換器清掃装置を前記室外熱交換器の風上側に具備したものである。これによって、前記室外熱交換器の風上側に付着した塵埃及び前記室外熱交換器に発生する霜を除去することが可能となる。
【０００９】
また、本発明の空気調和機は、前記熱交換器清掃装置を前記室外熱交換器の風下側に具備したものである。これによって、搭載のための余分なスペースが不必要となる。
【００１０】
また、本発明の空気調和機は、前記清掃ユニット内に移動可能なブラシ等の清掃具を設け、前記清掃具を上下方向に移動させる移動ベルトを備えたものである。これによって、前記室外熱交換器に付着した塵埃を容易に除去することが可能となる。
【００１１】
また、本発明の空気調和機は、前記清掃ユニット内のブラシに付着した塵埃を除去する櫛状突起部を備えたものである。これによって、前記室外熱交換器に付着した塵埃を除去した後の前記ブラシに付着した塵埃を除去することが可能となる。
【００１２】
また、本発明の空気調和機は、前記櫛状突起部の下方に穴部を備えたものである。これによって、前記ブラシに付着した塵埃を除去した後の塵埃が、前記室外熱交換器へ再び付着しないようにすることが可能となる。
【００１３】
また、本発明の空気調和機は、前記駆動ユニットとガイドユニットを支持する複数の支持部材を備えたものである。これによって、前記駆動ユニットとガイドユニットの位置決め及び前記熱交換器清掃装置の構成強度の確保が可能となる。
【発明の効果】
【００１４】
本発明の空気調和機は、室外熱交換器の上方に駆動ユニット、下方にガイドユニットを設け、前記駆動ユニットと前記ガイドユニットの間に清掃ユニットを設けて、前記清掃ユニットが左右方向に移動する熱交換器清掃装置を具備したことにより、前記清掃ユニットの駆動の安定化を図ることができ、室外熱交換器に付着した塵埃を効率的に除去することが可能となり、初期の熱交換効率状態に戻すことができる。
【図面の簡単な説明】
【００１５】
【図１】本発明の実施形態における空気調和機の室外機の三面図（正面、右側面、上面）
【図２】図１のＡ−Ａによる断面図
【図３】同空気調和機の運転状態の三面図（正面、右側面、上面）
【図４】同空気調和機の背面図
【図５】同空気調和機の熱交換器清掃装置の三面図（正面、右側面、上面）
【図６】従来の空気調和機の室外機の要部説明図
【発明を実施するための形態】
【００１６】
第１の発明は、室外機に設けられた室外熱交換器と、送風ファンと、前記室外熱交換器を自動清掃する熱交換器清掃装置とを備えた空気調和機であって、
前記熱交換器清掃装置は、前記室外熱交換器の上方に駆動ユニット、下方にガイドユニットを設け、前記駆動ユニットと前記ガイドユニットの間に清掃ユニットを設けて、前記清掃ユニットが左右方向に移動するように構成したことにより、前記清掃ユニットの駆動の安定化が可能となり、室外熱交換器に付着した塵埃を効率的に除去することができ、初期の熱交換効率状態に戻すことが可能になる。
【００１７】
第２の発明は、前記熱交換器清掃装置を前記室外熱交換器の風上側に具備することにより、前記室外熱交換器の風上側に付着した塵埃及び前記室外熱交換器に発生する霜を除去することが可能となり、初期の熱交換効率状態に戻すことができ、また除霜運転時間の短縮化も図ることができる。
【００１８】
第３の発明は、前記熱交換器清掃装置を前記室外熱交換器の風下側に具備することにより、搭載のための余分なスペースが不必要となり、室外本体サイズの小型化を図ることができる。
【００１９】
第４の発明は、前記清掃ユニット内に移動可能なブラシ等の清掃具を設け、前記清掃具を上下方向に移動させる移動ベルトを備えることにより、前記室外熱交換器に付着した塵埃を容易に除去することが可能となり、常に前記室外熱交換器の吸込み側の表面を初期状態に戻すことができる。
【００２０】
第５の発明は、前記清掃ユニット内のブラシに付着した塵埃を除去する櫛状突起部品を備えることにより、前記室外熱交換器に付着した塵埃を除去した後の前記ブラシに付着した塵埃を除去することが可能となり、常に前記ブラシを初期状態に保つことができる。
【００２１】
第６の発明は、前記櫛状突起部の下方に穴部を備えたものである。
【００２２】
これによって、前記ブラシに付着した塵埃を除去した後の塵埃が、前記室外熱交換器へ再び付着しないようにすることが可能となり、塵埃を前記室外熱交換器の外へ掻き出すことができる。
【００２３】
第７の発明は、前記駆動ユニットとガイドユニットを支持する複数の支持部材を備えることにより、前記駆動ユニットとガイドユニットの位置決め及び前記熱交換器清掃装置の構成強度の確保が可能となり、組み付け時において作業性の向上を図ることができる。
【００２４】
以下、本発明の実施の形態について、図面を参照しながら説明する。なお、この実施の形態によって本発明が限定されるものではない。
【００２５】
（実施の形態１）
図１は本発明の実施形態における空気調和機の三面図（ここでは熱交換器側を正面としている）で清掃ユニット２の作動途中の状態を示すもので、図３は同空気調和機本体の運転状態の三面図、図４は同空気調和機の背面図を示すものである。
【００２６】
図１、３、４において、室外機本体２０は、図に示すような構成であり、屋外の地面上に設置され、室内機の制御部に制御され駆動する冷凍サイクルユニット１９と、前記冷凍サイクルユニット１９に繋がる室外熱交換器１０と熱交換する為の空気を室外機本体２０内に吸い込み、吹き出す送風ファンユニット１１を備えている。さらに、前記冷凍サイクルユニット１９、室外熱交換器１０、送風ファンユニット１１の主要部品を支える基板１６と、外観部品として前板１７、吹出しグリル１８、天板１３、右側板１４、左側板１５を備えている。
【００２７】
前記室外熱交換器１０は、多数枚のフィンを狭小の間隙を存して縦方向に並設し、これらフィンを貫通し、かつ蛇行状に連通される熱交換パイプとからなる。この室外熱交換器１０は、前側熱交換器部と側面熱交換器部とでＬ字状に形成される。
【００２８】
以上のように構成された室外機本体２０において、熱交換器清掃装置１の構成を説明する。前記室外熱交換器１０の風上側表面に沿うように清掃ユニット２を設け、前記室外熱交換器１０の上部に前記清掃ユニット２を駆動するための駆動ユニット３を備え、前記室外熱交換器１０の下部に前記清掃ユニット２をガイドするためのガイドユニット４を設けてある。さらに、前記清掃ユニット２内部にブラシ２ａとそのブラシ２ａを移動させる移動ベルト２ｂが設けてある。さらに、前記駆動ユニット３の内部に前記清掃ユニット２の上部と連結する駆動ローラ３ａとその駆動ローラ３ａを動かす駆動ワイヤー３ｂが設けてある。さらに、前記ガイドユニット４の内部に前記清掃ユニット２の下部に連結するガイドローラ４ａが設けてある。そして、この清掃ユニット２を備えた熱交換器清掃装置１は、前記室外熱交換器１０の風上側に固定されている。
【００２９】
次に熱交換器清掃装置１の清掃動作について説明する。図３は、空気調和機の運転時の熱交換器清掃装置１の待機状態を示す図である。このとき清掃ユニット２は室外熱交換器１０の右奥及び右側板１４の奥側の位置に収納された状態になっている。そして、前記清掃ユニット２が、室外熱交換器１０の右奥から移動を開始し、停止と移動を一定間隔で繰り返しながら前記室外熱交換器１０の左端まで移動するものである。また、一定間隔で停止した場所で前記清掃ユニット２内の上部に位置するブラシ２ａが作動を開始し、前記室外熱交換器１０に付着している塵埃を掻き落し、掻き落された塵埃は室外機本体２０の外に掻き出される。図１に示す熱交換器清掃装置１の作動途中状態から、室外熱交換器１０の左端まで行ったところで折り返して右奥へ向かって移動するもので、前記室外熱交換器１０の右奥に戻ったところで、室外熱交換器１０に対する清掃動作を停止するものである。
【００３０】
以上のように、本実施の形態においては室外機本体２０に設けられた室外熱交換器１０と、送風ファンユニット１１とを備え、室内を冷房、暖房又は除湿する空調運転を行う空気調和機において、前記室外熱交換器１０の上方に駆動ユニット３、下方にガイドユニット４を設け、前記駆動ユニット３と前記ガイドユニット４の間に清掃ユニットを設けて、前記清掃ユニット２が左右方向に移動する熱交換器清掃装置１を具備したことにより、前記清掃ユニット２の駆動の安定化が可能となり、室外熱交換器１０に付着した塵埃を効率的に除去することができ、初期の熱交換効率状態に戻すことが可能になる。また、前記室外熱交換器１０の形態に於いてＩ形、Ｌ形共に有効であり、特にＬ形の場合に大きな効果が期待できるものである。
【００３１】
（実施の形態２）
図１、２において、前記熱交換器清掃装置１を前記室外熱交換器１０の風上側に具備することにより、前記室外熱交換器１０の風上側に付着した塵埃及び前記室外熱交換器１０に発生する霜を除去することが可能となり、初期の熱交換効率状態に戻すことができ、また除霜運転時間の短縮化も図ることができる。
【００３２】
（実施の形態３）
図２は、図１のＡ−Ａによる詳細断面図である。図２において、前記室外熱交換器１０を構成するフィンに接触するように、前記清掃ユニット２内に移動可能なブラシ２ａを設け、さらにブラシ２ａを上下方向に移動させる移動ベルト２ｂを設けることにより、前記室外熱交換器１０に付着した塵埃を容易に除去することが可能となり、常に前記室外熱交換器１０の吸込み側の表面を初期状態に戻すことができる。
【００３３】
（実施の形態４）
図１、２において、前記清掃ユニット２の内部に櫛状突起部２ｃを設けたものであり、前記清掃ユニット２の前記ブラシ２ａで掻き落した後の塵埃の一部が前記ブラシ２ａに残った場合に、その塵埃を除去するものである。また、前記ブラシ２ａは、前記室外熱交換器１０の下端へ向かって移動し、最下端で前記室外熱交換器１０から離れて上端へ向かって移動し、前記櫛状突起部品７を通過した時に、ブラシ２ａに残った塵埃を除去することにより、常に前記ブラシを初期状態に保つことができる。
【００３４】
（実施の形態５）
図１、２において、前記櫛状突起部２ｃの下方に穴部２ｄを備えることにより、前記ブラシ２ａに付着した塵埃を除去した後の塵埃が、前記穴部２ｄから掻き出され前記室外機本体２０の外へ排出することができ、前記室外熱交換器１０へ再び付着しないようにすることができる。
【００３５】
（実施の形態６）
図５において、前記駆動ユニット３とガイドユニット４の右側に支持部材（右）５を設け、左側に支持部材（左）６を設けることにより、前記駆動ユニット３とガイドユニット４の位置決め及び前記熱交換器清掃装置１の構成強度の確保が可能となり、組み付け時において作業性の向上を図ることができる。
【産業上の利用可能性】
【００３６】
以上のように、本発明にかかる空気調和機は、室外熱交換器に付着する塵埃を除去する熱交換器清掃装置を具備したことにより、初期の熱交換効率状態に戻すことが可能となるので、室外熱交換器を搭載した他の空気調和機にも適用できる。
【符号の説明】
【００３７】
１  熱交換器清掃装置
２  清掃ユニット
２ａ  ブラシ
２ｂ  移動ベルト
２ｃ  櫛状突起部
２ｄ  穴部
３  駆動ユニット
３ａ  駆動ローラ
３ｂ  駆動ワイヤー
４  ガイドユニット
４ａ  ガイドローラ
５  支持部材（右）
６  支持部材（左）
１０  室外熱交換器
１１  送風ファンユニット
１３  天板
１４  右側板
１５  左側板
１６  基板
１７  前板
１８  吹出しグリル
１９  冷凍サイクルユニット
２０  室外機本体
【図１】
2012184872.tif 000003
【図２】
2012184872.tif 000004
【図３】
2012184872.tif 000005
【図４】
2012184872.tif 000006
【図５】
2012184872.tif 000007
【図６】
2012184872.tif 000008